(57)【要約】【課題】入金信号を利用してホッパーの作動状態を検知し、センサーや撮影装置の併用により不正行為を検出し、遊技メダルや硬貨の不正な払い出しと紙幣の盗難を防止する。【解決手段】ホッパーモーター５に流れる電流Ａを検知可能なホッパーモーター電流検知センサー３が、ホッパーモーター電源線５０に取り付けられ、基端が不正検出制御部６に接続され、投入紙幣の入金信号Ｐに基づきホッパー５１が正常動作を行う場合に外部に出力する入金信号Ｐが不正検出制御部６に伝達自在であり、不正検出制御部６に入金信号Ｐが伝達されていないにも拘らずホッパーモーター５が作動している状態をホッパーモーター電流検知センサー３が不正な払い出しとして感知し警報する。扉開閉検知センサー１２が紙幣収納金庫１１の前面に設置され、前面扉１４が開いている状態を不正状態として感知し警報可能である。【選択図】        図１
2005052430.tif 000002
【特許請求の範囲】
【請求項１】
投入された紙幣が入金信号として出力され、前記入金信号が遊技メダル貸出機等の制御部を介してホッパーモーター電源線に伝達されてホッパーモーターが作動することにより、ホッパー内の遊技メダル又は硬貨等が払い出されるスロットマシン用の遊技メダル貸出機又は硬貨両替機等が設置されて成る遊技場内の不正を検出するシステムにおいて、
前記ホッパーモーターに流れる電流を検知可能なホッパーモーター電流検知センサーが、前記ホッパーモーター電源線に取り付けられ、紙幣の投入がなく入金信号が出力されていないにも拘らずホッパーモーターが作動している不正払い出し状態を、前記ホッパーモーター電流検知センサーが検知可能に構成されていることを特徴とする、遊技場内の不正検出システム。
【請求項２】
ホッパーモーター電源線に取り付けられたホッパーモーター電流検知センサーが不正検出制御部に接続されていると共に、投入紙幣の入金信号に基づきホッパーが正常動作を行う場合に外部に出力する前記入金信号が前記不正検出制御部に伝達自在であり、不正検出制御部に前記入力信号が伝達されていないにも拘らずホッパーモーターが作動している状態を不正な払い出しとして感知し、ランプ等で外部に警報可能に構成されていることを特徴とする、請求項１に記載した遊技場内の不正検出システム。
【請求項３】
紙幣収納金庫を有する紙幣識別機に投入された紙幣が正常識別後に入金信号として出力され、前記入金信号が遊技メダル貸出機制御部を介してホッパーモーター電源線に伝達されてホッパーモーターが作動することにより、ホッパー内の遊技メダルが払い出されるスロットマシン用の遊技メダル貸出機が設置されて成る遊技場内の不正を検出するシステムにおいて、
前記ホッパーモーターに流れる電流を検知可能なホッパーモーター電流検知センサーが、前記ホッパーモーター電源線に取り付けられ、その基端が不正検出制御部に接続されており、投入紙幣の入金信号に基づきホッパーが正常動作を行う場合に外部に出力する前記入金信号が前記不正検出制御部に伝達自在であり、不正検出制御部に前記入金信号が伝達されていないにも拘らずホッパーモーターが作動している状態を当該ホッパーモーター電流検知センサーが不正な払い出しとして感知し、ランプ等で外部に警報可能であると共に、
扉開閉検知センサーが、前記紙幣収納金庫の前面付近に設置され、その基端が不正検出制御部に接続され、前記紙幣収納金庫の前面に被蓋された前面扉が開いている状態を当該扉開閉検知センサーが不正状態として感知し、ランプ等で外部に警報可能に構成されていることを特徴とする、遊技場内の不正検出システム。
【請求項４】
不正検出制御部が、遊技メダル貸出機の内部に収納されていることを特徴とする、請求項１〜３のいずれか１項に記載した遊技場内の不正検出システム。
【請求項５】
遊技場内のスロットマシン用の遊技メダル貸出機又は硬貨両替機等の各機械の前面周辺における適所位置に、撮影装置が設置されていることを特徴とする、請求項１〜４のいずれか１項に記載した遊技場内の不正検出システム。
【請求項６】
撮影装置は不正検出制御部に接続され、その不正検出制御部を介して接続された集中管理コンピュータ部でデータ管理されると共に、当該撮影装置で撮影された画像データは、別設の不正動作管理コンピュータ部で管理される構成であることを特徴とする、請求項５に記載した遊技場内の不正検出システム。
【請求項７】
遊技場内のスロットマシンの前面上方に設置された呼出しランプの内部に、撮影装置が収納されていることを特徴とする、請求項５又は６に記載した遊技場内の不正検出システム。
【発明の詳細な説明】
【技術分野】
【０００１】
本発明は、遊技場内の不正を検出するシステムに係り、さらに言えば、スロットマシン用の遊技メダル貸出機や硬貨両替機等が設置されて成る遊技場において、遊技メダルや硬貨の不正な払い出しや、前記機械内部の金庫から紙幣を盗む等の遊技場内で行われる不正行為を検出・監視するシステムの技術分野に関する。
【背景技術】
【０００２】
遊技場内に設置されるスロットマシン用の遊技メダル貸出機や硬貨両替機からの遊技メダルや硬貨の払い出しは、当該機械の紙幣投入口に紙幣を投入することにより、紙幣に応じた数のメダルや硬貨が下部のホッパーから流出されることにより行われているのが一般である。
【０００３】
しかし、前記遊技メダル貸出機や硬貨両替機に紙幣を投入しないで不正に遊技メダルや硬貨を取り出したり、機械内部の金庫にストックされた紙幣を盗む等の不正行為が後を断たない。そのような不正行為は、前記機械の構造を熟知する者が外部から不正な操作によって行なうものが多いが、とりも直さず犯罪行為であり、遊技場の経営者等にとって金銭的な被害は甚大である。
【０００４】
このような不正を検出する装置としては、例えば下記（１）〜（３）のような従来技術がある。
【０００５】
（１）特開２００２−１０２４２７号公報には、メダル遊技設備における不正検出装置として、メダル貸出機にメダル供給ラインを設けて、メダル補給間隔で不正なメダル払い出しを検出する装置が記載されている。
【０００６】
（２）特開２００１−２５９１２０号公報には、遊技媒体貸出装置として、メダル貸出機に対して不正な電波を使用した不正払い出しを検出する発明が記載されている。
【特許文献１】特開２００２−１０２４２７号公報
【特許文献２】特開２００１−２５９１２０号公報
【発明の開示】
【発明が解決しようとする課題】
【０００７】
前記（１）の不正検出装置は、メダル供給ラインを既設されている設備に追加することは困難である上、多額の費用が発生する。また、（２）の遊技媒体貸出装置は、メダル貸出機に対しての不正な操作は不正電波だけではなく多岐にわたり、不正行為の検出に万全といえない。
【０００８】
一般的な遊技メダル貸出機においては、紙幣を受け付けた場合、その紙幣を受け付けた情報を集中管理コンピュータに伝える入金信号を出力する機能がある。また、メダルの払い出しは、遊技メダル貸出機が紙幣を受け付けた後に行われ、当該メダルを払い出すためのホッパーが設置されている。そのホッパーはモーターを備え、そのモーターの回転駆動を利用してメダルの払い出し（排出）を行っている。
【０００９】
一方、入金信号が出力されない状態でホッパーのモーターが回転してメダルの払い出しが行なわれることはない。そのため、入金信号が出力されない状態でホッパーモーターが作動するという異常動作が発生した場合は、遊技メダル貸出機の異常か、人為的な不正操作が行なわれたと判断できる。
【００１０】
上記遊技メダル貸出機の場合と同様に、紙幣を硬貨に両替する硬貨両替機においても、紙幣が投入されると入金信号を出力してホッパーにより硬貨が払い出されている。
【００１１】
また一般的に、遊技メダル貸出機が受け付けた紙幣は、内部の紙幣収納金庫に収納されるが、紙幣収納金庫には鍵付の扉があり、その鍵を持つ遊技場管理者以外の者によって遊技メダル貸出機内の紙幣の回収は行なえない。したがって、遊技場管理者が遊技メダル貸出機の紙幣を回収する時間以外に、紙幣収納金庫の扉が開いた場合は、人為的な不正が行なわれたと判断できる。
【００１２】
さらに、遊技場内には、場内を広範囲に監視する監視用の撮影装置が、場内を見渡せる適所に設置されているのが一般的であるのに対し、スロットマシン若しくはメダル貸出機の各台ごとに撮影装置を設置して不正行為を監視・検出する例は見当たらない。
【００１３】
上記従来例に鑑み、本出願人は、遊技メダル貸出機や硬貨両替機からメダルや硬貨が払い出されるには、ホッパーが必ず作動する点に着目すると共に、遊技メダル貸出機の内部にストックされる紙幣が不正に盗まれる事態も効果的に防止すべく、センサーと撮影装置の利用も案出した。
【００１４】
したがって、本発明の目的は、通常の遊技メダル貸出機から必ず出力される入金信号を利用してホッパーの作動状態を直接検知し、センサーや撮影装置の併用により不正行為を検出し、遊技メダルや硬貨の不正な払い出しと紙幣の盗難を防止し、遊技場内の不正行為の検出と監視に万全を図ると共に、既存のスロットマシン等の設備に加える変更が少なく、設置が簡便で経済的な遊技場内の不正検出システムを提供することにある。
【課題を解決するための手段】
【００１５】
前記課題を解決するための手段として、請求項１記載の発明の遊技場内の不正検出システムは、投入された紙幣が入金信号Ｐとして出力され、前記入金信号Ｐが遊技メダル貸出機Ｋ等の制御部２を介してホッパーモーター電源線５０に伝達されてホッパーモーター５が作動することにより、ホッパー５１内の遊技メダルＭ又は硬貨等が払い出されるスロットマシンＳ用の遊技メダル貸出機Ｋ又は硬貨両替機等が設置されて成る遊技場Ｙ内の不正を検出するシステムにおいて、
前記ホッパーモーター５に流れる電流Ａを検知可能なホッパーモーター電流検知センサー３が、前記ホッパーモーター電源線５０に取り付けられ、紙幣の投入がなく入金信号Ｐが出力されていないにも拘らずホッパーモーター５が作動している不正払い出し状態を、前記ホッパーモーター電流検知センサー３が検知可能に構成されていることを特徴とする。
【００１６】
請求項２記載の発明の遊技場内の不正検出システムは、前記ホッパーモーター電源線５０に取り付けられたホッパーモーター電流検知センサー３が不正検出制御部６に接続されていると共に、投入紙幣の入金信号Ｐに基づきホッパー５１が正常動作を行う場合に外部に出力する前記入金信号Ｐが前記不正検出制御部６に伝達自在であり、不正検出制御部６に前記入力信号Ｐが伝達されていないにも拘らずホッパーモーター５が作動している状態を不正な払い出しとして感知し、ランプ４等で外部に警報可能に構成されていることを特徴とする。
【００１７】
請求項３記載の発明の遊技場内の不正検出システムは、紙幣収納金庫１１を有する紙幣識別機１に投入された紙幣が正常識別後に入金信号Ｐとして出力され、前記入金信号Ｐが遊技メダル貸出機制御部２を介してホッパーモーター電源線５０に伝達されてホッパーモーター５が作動することにより、ホッパー５１内の遊技メダルＭが払い出されるスロットマシンＳ用の遊技メダル貸出機Ｋが設置されて成る遊技場Ｙ内の不正を検出するシステムにおいて、
前記ホッパーモーター５に流れる電流Ａを検知可能なホッパーモーター電流検知センサー３が、前記ホッパーモーター電源線５０に取り付けられ、その基端３ａが不正検出制御部６に接続されており、投入紙幣の入金信号Ｐに基づきホッパー５１が正常動作を行う場合に外部に出力する前記入金信号Ｐが前記不正検出制御部６に伝達自在であり、不正検出制御部６に前記入金信号Ｐが伝達されていないにも拘らずホッパーモーター５が作動している状態を当該ホッパーモーター電流検知センサー３が不正な払い出しとして感知し、ランプ４等で外部に警報可能であると共に、
扉開閉検知センサー１２が、前記紙幣収納金庫１１の前面１０付近に設置され、その基端１２ａが不正検出制御部６に接続され、前記紙幣収納金庫１１の前面１０に被蓋された前面扉１４が開いている状態を当該扉開閉検知センサー１２が不正状態として感知し、ランプ４等で外部に警報可能に構成されていることを特徴とする
【００１８】
請求項４記載の発明の遊技場内の不正検出システムは、前記不正検出制御部６が、遊技メダル貸出機Ｋの内部に収納されていることを特徴とする。
【００１９】
請求項５記載の発明の遊技場内の不正検出システムは、前記遊技場Ｙ内のスロットマシンＳ用の遊技メダル貸出機Ｋ又は硬貨両替機等の各機械の前面１０周辺における適所位置に、撮影装置９が設置されていることを特徴とする。
【００２０】
請求項６記載の発明の遊技場内の不正検出システムは、前記撮影装置９が不正検出制御部６に接続され、その不正検出制御部６を介して接続された集中管理コンピュータ部１００でデータ管理されると共に、当該撮影装置９で撮影された画像データＴは、別設の不正動作管理コンピュータ部１１０で管理される構成であることを特徴とする。
【００２１】
請求項７記載の発明の遊技場内の不正検出システムは、前記遊技場Ｙ内のスロットマシンＳの前面１０の上方に設置された呼出しランプ８の内部に、撮影装置９が収納されていることを特徴とする。
【発明の効果】
【００２２】
請求項１〜３記載の発明の遊技場内の不正検出システムは、ホッパーモーターに流れる電流を検知可能なホッパーモーター電流検知センサーが、ホッパーモーター電源線に取り付けられ、投入紙幣の入金信号に基づきホッパーが正常動作を行う場合に外部に出力する入金信号が、遊技メダル貸出機制御部のほか不正検出制御部に伝達自在であり、不正検出制御部に入金信号が伝達されていないにも拘らずホッパーモーターが作動している状態を当該ホッパーモーター電流検知センサーが不正な払い出しとして感知し、ランプ等で外部に警報可能であると共に、紙幣収納金庫の前面扉が開いている状態を扉開閉検知センサーが不正状態として感知し、かかる遊技場内での不正な操作が検出された場合、通知ランプ、呼出ランプ、集中管理コンピュータ、不正動作管理コンピュータで通知することにより、遊技場の管理者は不正操作の早期発見、早期対応が可能となる上、不正操作行為の抑止効果もあり、遊技場内の不正行為の監視と検出の万全に寄与する。
【００２３】
すなわち、遊技場での不正な操作による犯罪行為が及ぼす影響は、単純に金銭的な面での被害だけでなく、遊技場の評判等金銭に換算できない面での被害を考えると甚だ深刻であるが、本システムの設置により遊技場内での不正な操作の発見、防止が可能となり、その効果は絶大である。
【００２４】
また、既存の設備に加える変更が少なく、既設の遊技メダル貸出機等に本システムを付加できる利便性に優れ、設置コストの低減化にも貢献する。
【００２５】
請求項４記載の発明の遊技場内の不正検出システムは、不正検出制御部が遊技メダル貸出機の内部に収納されているので、遊技場における本システムの不正検出を容易に行え、省スペース化にも寄与する。
【００２６】
請求項５〜７記載の発明の遊技場内の不正検出システムは、遊技メダル貸出機（スロットマシン）や硬貨両替機等の各機械の前面周辺における適所位置に撮影装置が設置されているので、各台の前面付近が自動的に撮影され、不正行為者の正確な特定と警告を行える不正検出機能と監視機能も併有するものである。
【発明を実施するための最良の形態】
【００２７】
請求項１〜７記載の本発明の遊技場内の不正検出システムを好適に実施するための最良の形態について、スロットマシンＳ用の遊技メダル貸出機Ｋを例に、図面にしたがって説明する。下記の不正検出システムは、遊技場Ｙ内に既に設置されている遊技メダル貸出機Ｋに付加して実施できる。
【００２８】
図１及び図２は、本遊技場内の不正検出システムを、スロットマシンＳに併設された遊技メダル貸出機Ｋに実施した形態の全体図を一部省略して示している。本システムの特徴的な基本構造を概説すると、１台の遊技メダル貸出機Ｋに対し、ホッパーモーター電流検知センサー３及び扉開閉検知センサー１２並びに撮影装置９が、それぞれ不正検出制御部６（制御コンピュータ）と電気的に接続されて制御されている。不正検出制御部６では、入金信号Ｐが伝達された後の一定時間の内外を判定し、前記一定時間外の時にホッパーモーター５に電流Ａが流れた場合に異常動作と判断される仕組みである（請求項１〜３参照）。
【００２９】
また、前記の各不正検出制御部６・・・と集中管理コンピュータ部１００、不正動作管理コンピュータ部１１０とが電気的に接続され、不正情報の伝達と制御が遊技場Ｙ全体として一括管理されている。すなわち、前記集中管理コンピュータ１００は、当該遊技場Ｙにおいて、スロットマシンＳの稼動状況や遊技メダル貸出機Ｋの金銭の入金情報等を集中的に管理すべく、遊技場事務所内（図示は省略）などに設置されている。不正検出制御部６を介して遊技メダル貸出機Ｋからの情報出力回路に指定の断線検知機能を備えることで、集中管理コンピュータ１００側で情報線の断線等の異常を検知することが可能である。また、スロットマシンＳと遊技メダル貸出機Ｋとで異常を通知する信号がある場合には、その信号が伝達され、表示・集計する機能を有しているものである。
【００３０】
本実施形態の場合、遊技メダル貸出機Ｋにおいて、紙幣収納金庫１１を有する紙幣識別機１に投入された紙幣が、正常に識別された後に入金信号Ｐとして出力され、前記入金信号Ｐがホッパーモーター電源線５０に伝達されてホッパーモーター５が作動することにより、ホッパー５１内の遊技メダルＭ・・・が払い出されるものである。
【００３１】
紙幣収納金庫１１を有する紙幣識別機１は、前面１０に突き出た紙幣投入口１３を有し、下方に設置された遊技メダル貸出機Ｋの制御（電源）部２とコード１６により電気的に接続されており、投入紙幣の入金信号Ｐを前記遊技メダル貸出機制御部２に伝達自在に構成されている。前記遊技メダル貸出機制御部２に接続された入金信号出力線２０と、不正検出制御部６に接続された入金信号入力線２１とが電気的に接続されており、前記入金信号Ｐを外部の不正検出制御部６に伝達自在に構成されている。
【００３２】
また、前記遊技メダル貸出機制御部２の下方位置に、遊技メダルＭを払い出すホッパー５１が設置されている。当該ホッパー５１はホッパーモーター５に電流Ａが流れて回転することにより、ホッパー５１内の遊技メダルＭがトレー５２に払い出されるものであり、このホッパーモーター５を作動させるホッパーモーター電源線５０が前記遊技メダル貸出機制御（電源）部２に電気的に接続されている。
【００３３】
そして、前記ホッパーモーター５に流れる電流Ａを検知可能なホッパーモーター電流検知センサー３を形成する先端が、全体形状が円筒状で半割り状に開閉自在なクランプ式に構成されており、前記ホッパーモーター電源線５０のいずれかの所望位置で、ホッパーモーター電源線５０の外周を包み込むような非接触式でクランプして取り付けられている。また、このホッパーモーター電流検知センサー３のコード３ｃの基端３ａが、不正検出制御部６に電気的に接続されている。したがって、このホッパーモーター電流検知センサー３により、ホッパーモーター電源線５０に流れる電流Ａを非接触式で確実に検知（計測）することができる。
【００３４】
また、不正検出制御部６側には、ホッパーモーター電流検知センサー３が検知する通電量の感度切替スイッチ６１と、入金信号Ｐの入力を受け付けた後の一定時間を設定する時間切替スイッチ６０が設けられている。
【００３５】
さらに、ホッパー５１の異常動作と判断した場合に点灯する通知ランプ４が遊技メダル貸出機Ｋの上方位置に設置され、その基端が前記不正検出制御部６と電気的に接続されている。不正検出制御部６側に接続された入金信号出力線１０１、金庫開閉信号出力線１０２、ホッパー異常動作出力線１０３が、集中管理コンピュータ１００側に接続された入金信号入力線１０６、不正動作信号入力線１０７、１０８と、それぞれ電気的に接続されており、不正検出制御部６に入金信号断線検知回路切替スイッチ６４が設けられているので、集中管理コンピュータ１００で指定された断線検知回路に切り替える機能を併有している。そして、呼出ランプ８側の不正動作入力線８０と不正検出制御部６側の共通信号出力線１０５とが電気的に接続されているので、ホッパー５１の異常動作と判断した場合、信号として集中管理コンピュータ１００と呼出ランプ８に伝達自在である。
【００３６】
加えて、前記通知ランプ４の点灯と信号出力を解除するリセットスイッチ７が不正検出制御部６に接続されて制御されていると共に、リセット設定スイッチ６３が不正検出制御部６に備え付けられているので、同リセット設定スイッチ６３により、ホッパー５１の異常動作と判断した場合の通知ランプ４の点灯と信号出力を自動解除するかリセットスイッチ７による解除とするかを切り替えることができる。
【００３７】
次に、扉開閉検知センサー１２が、前記紙幣収納金庫１１の前面１０において、鍵１５付きの前面扉１４の上方内側面に対向する位置に設置され、この扉開閉検知センサー１２のコード１２ｂの基端１２ａが不正検出制御部６に対し電気的に接続されている。よって、紙幣収納金庫１１の前面１０に被蓋された前面扉１４が開いている状態をこの扉開閉検知センサー１２が不正状態として感知し、ランプ４等で外部に警報可能な構成である。
【００３８】
よって、不正検出制御部６において、紙幣収納金庫１１の前面扉１４が開いた情報は信号として前記金庫扉開閉信号出力線１０２により集中管理コンピュータ１００に伝達されるほか、ホッパー異常動作信号と金庫扉開閉信号は呼出ランプ８や撮影装置９等に伝達される。なお、紙幣収納金庫１１の開閉扉１４が開いた場合の通知ランプ４の点灯と信号出力を開閉扉１４が閉じた直後に自動解除するか数秒後に自動解除するかを切り替える扉開閉解除設定スイッチ６２が不正検出制御部６に備え付けられている。
【００３９】
したがって、遊技者が紙幣識別機１の紙幣投入口１３に紙幣を投入すると、その入金信号Ｐが、遊技メダル貸出機制御部２を介して、不正検出制御部６に伝達されると共に、ホッパーモーター電源線５０が通電され、ホッパーモーター５が作動して回転し、所定の遊技メダルＭが下部のトレー５２内に払い出される。その過程では、ホッパーモーター電源線５０の通電をホッパーモーター電流検知センサー３が検知し正常動作と判断され、不正行為は介在しておらず問題はない。
【００４０】
一方、不正検出制御部６に前記入金信号Ｐが伝達されていないにも拘らずホッパーモーター５が作動している場合は、不正行為者が紙幣を投入しないで何らかの方法でホッパーモーター５を強制的に作動させ遊技メダルＭの払い出しを行っている可能性が極めて高い。かかる状態を当該ホッパーモーター電流検知センサー３及び不正検出制御部６が不正な払い出しとして感知し、ランプ４等で外部に警報される。
【００４１】
また、紙幣収納金庫１１内の紙幣を盗もうとして、紙幣識別機１の前面扉１４を強制的に開ける不正行為が行われると、その前面扉１４が開いている状態を扉開閉検知センサー１２が不正状態として感知し、やはりランプ４等で外部に警報される。
【００４２】
さらに前記不正行為を効果的に監視する手段として、下記の撮影装置９を使用する実施形態が好適に行われる（請求項５〜７参照）。
【００４３】
すなわち、遊技メダル貸出機Ｋの前面１０の周辺における適所位置として、例えば前記前面１０の上方位置に、撮影装置９が設置されている。この撮影装置９は、前記の通り不正検出制御部６と電気的に接続されている。また、この撮影装置９で取得されたデータ（画像データを除く）は、不正検出制御部６を介して接続された集中管理コンピュータ部１００に転送されデータ管理される。当該撮影装置９で撮影された画像データＴは、撮影情報出力線９０に接続された撮影情報入力線１０９を介して電気的に接続された不正動作管理コンピュータ部１１０に転送され、その不正動作管理コンピュータ部１１０で一括管理される。
【００４４】
好ましくは、図１及び図２に示したように、スロットマシンＳの前面１０の上方に設置された呼出しランプ８の内部に前記撮影装置９を収納する実施形態が、一般の遊技者には不快感を与えず、不正行為を行う遊技者には知られずに撮影できるため適している。別言すれば、この呼出ランプ８に撮影装置９を内蔵すれば、スロットマシン遊技および遊技メダル貸出機操作を行っている様子を監視するのに最適で、撮影装置９の設置場所を別途用意する必要がなくなる。つまり、この撮影装置能付き呼出ランプ８は、遊技場Ｙ内を監視する監視撮影装置としても利用が可能なのである。
【００４５】
よって、ホッパー５１の不正動作及び開閉扉１４の展開を検知した場合に、当該撮影装置９を作動させ、ホッパー不正動作および金庫扉開閉時の撮影情報を取得すると共に、撮影情報（Ｔ）がホッパー不正動作および金庫扉開閉情報と共に不正動作情報管理コンピュータ１１０に伝達される。
【００４６】
上記の撮影装置９の設置にあたっては、スロットマシンＳの上部、遊技メダル貸出機Ｋの上部等の空いている場所に、撮影装置９のレンズ大の穴を開け、その裏に設置するなどして好適に行える。
【００４７】
したがって、ホッパー５１の不正動作及び開閉扉１４の不正展開が検出された場合に、当該撮影装置９によって、スロットマシンＳ及び遊技メダル貸出機Ｋの前面付近が自動的に撮影され、ランプ８による警報が行えるので、不正行為者の特定と捕捉を的確に行うことができる。
【００４８】
なお、図４に示したタイプは、前記のように撮影装置９を呼出ランプ８の中に収納するのではなく、撮影装置９を呼出ランプ８とは独立させて、遊技メダル貸出機Ｋ又はスロットマシンＳの前面１０の上方に設置した実施形態を示している。その他の構成は、上記実施形態と殆んど同様なので説明は省略する。
【異なる実施形態】
【００４９】
図３の不正検出システムは、前記不正検出制御部６が、遊技メダル貸出機Ｋの内部に収納されている実施形態である（請求項４）。
【００５０】
本実施形態の場合、予め遊技メダル貸出機Ｋに不正検出制御部６が組み込まれているので、本システムの設定を極めて簡単に行え、スペースの有効利用も図れる。
【００５１】
この図３の実施形態の場合、図１の実施形態と比べると、遊技メダル貸出機制御部２が不正検出制御部６と一体化されており、この遊技メダル貸出機制御部２を兼ねる紙幣識別機１と不正検出制御部６とが電気的に接続されている。その他の構成は、上記図１の実施形態と殆んど同じなので説明は省略する。
【実施例】
【００５２】
不正検出システムの不正検出制御部６は、遊技メダル貸出機Ｋからの入金信号Ｐとホッパーモーター５の動作を常に監視し、入金信号Ｐが伝達された場合には入金信号出力線２０から入金信号Ｐを出力し、同時に時間切替スイッチ６０で設定された一定時間を計測する。
【００５３】
ホッパーモーター５の作動が伝達された場合は、入金信号Ｐ伝達後の一定時間の内外を判定し、時間外の場合は遊技メダル貸出機Ｋの異常動作と判断し、通知ランプ４を点灯させ、信号を集中管理コンピュータ１００と呼出ランプ８等に出力する。
【００５４】
この時の入金信号Ｐ伝達後の一定時間は、取り付けられる遊技メダル貸出機Ｋの種類によって異なるため、遊技メダル貸出機Ｋの入金信号出力からホッパーモーター５の回転が止まるまでの時間に合わせ、また払い出しにあたってホッパ５１ーが空回りなどする時間も考慮に入れて、時間切替スイッチ６０で予め設定をしておく。また、モーター電流検知センサー３が、ホッパー５１の動作した時の電流Ａを検知できるように、感度の切り替えを感度切替スイッチ６１で予め設定しておく。
【００５５】
また、ホッパー５１の異常動作と判断した場合の通知ランプ４の点灯と信号出力を、その状態が解消された時に自動解除するか、遊技場管理者がリセットスイッチ７を押すことで解除とするかを、遊技場Ｙの管理方針に合わせて、リセット設定スイッチ６３で予め設定しておく。
【００５６】
さらに、紙幣収納金庫１１の開閉扉１４が開いた場合の通知ランプ４の点灯と信号出力を、開閉扉１４が閉じた直後に自動解除するか、数秒後に自動解除するかを、遊技場Ｙの管理方針に合わせて、扉開閉解除設定スイッチ６２で予め設定しておく。
【００５７】
かくして、不正動作管理コンピュータ１１０は、送信されたホッパー不正動作および金庫扉開閉情報を一括管理し、ホッパー不正動作および金庫扉開閉動作が行なわれた場合に、どの遊技メダル貸機Ｋのホッパー不正動作および金庫扉開閉検出装置からの情報かを、撮影した画像と共に表示し、ホッパー不正動作および金庫扉開閉の行なわれた状況を遊技場Ｙの管理者に通知する。また、不正動作管理コンピュータ１１０は、過去に行なわれたホッパー不正動作および金庫扉開閉情報の検索表示印刷機能を備えているものである。
【００５８】
最終的に、通知ランプ４、呼出ランプ８、集中管理コンピュータ１００、不正動作管理コンピュータ１１０によって、ホッパー不正動作および金庫扉開閉が遊技場Ｙの管理者に通知された場合、管理者は対象となった遊技メダル貸機Ｋの状況を確認し、不正な操作が行なわれたか否かを判断し、適切な対応措置をとると共に、リセットスイッチ７で通知ランプ点灯と信号出力を止める。
【図面の簡単な説明】
【００５９】
【図１】遊技メダル貸機における不正検出システムの実施形態を示した概略図である。
【００６０】
【図２】図１の概略正面図である。
【００６１】
【図３】異なる遊技メダル貸機における不正検出システムの実施形態を示した概略図である。
【００６２】
【図４】異なる遊技メダル貸機における不正検出システムの実施形態を示した概略図である。
【符号の説明】
【００６３】
Ｓ        スロットマシン
Ｙ        遊技場
Ｋ        遊技メダル貸出機
Ｍ        遊技メダル
Ｐ        入金信号
Ａ        電流
Ｔ        画像データ
１        紙幣識別機
１０      前面
１１      紙幣収納金庫
１２      扉開閉検知センサー
１４      前面扉
３        ホッパーモーター電流検知センサー
４        ランプ
５        ホッパーモーター
５０      ホッパーモーター電源線
５１      ホッパー
６        不正検出制御部
８        呼出しランプ
９        撮影装置
１００    集中管理コンピュータ部
１１０    不正動作管理コンピュータ部
【図１】
2005052430.tif 000003
【図２】
2005052430.tif 000004
【図３】
2005052430.tif 000005
【図４】
2005052430.tif 000006